(57)【特許請求の範囲】
【請求項１】
下式(I)
【化１】
0004579689.tif 000014
（上式中、Ｘは、Ｈ；ハロゲン；−ＣＮ；−ＳＯ2ＣＨ3；−ＯＨ；−ＯＣＨ3又は−ＮＯ2を意味し、
Ｙは、Ｈ；ハロゲン；又は−ＣＮを意味し、かつ
Ｋは、下式
【化２】
0004579689.tif 000015
のいずれかで表される基を意味し、
Ｒ7は、Ｈ；ベンジル；フェニル；Ｃ1-6アルキル；ハロゲン、−ＣＮ、−ＯＨ、−ＯＣ1-4−アルキル、−ＯＣＯＣ1-2−アルキル、−ＯＣ6Ｈ5又は−Ｃ6Ｈ5から成るグループの中の１つの置換基によって置換された置換Ｃ2-4−アルキル；−Ｃ1-2−アルキレン−ＣＯＯＣ1-2−アルキル；−ＮＨＣ6Ｈ5又は−ＮＨ2を意味し、
Ｒ1は、Ｃ1-6−アルキル；ハロゲン、−ＣＮ、−ＳＣＮ、−ＯＣ1-4−アルキル、−ＯＣＯＣ1-3−アルキル、−ＯＣＨＯ、−ＯＣ6Ｈ5及び−Ｃ6Ｈ5から成るグループの中の単数又は複数の置換基によって置換された置換Ｃ2-4−アルキル；Ｃ3-4−アルケニル；−Ｃｌ又は−Ｂｒによって置換された置換Ｃ3-4−アルケニル；Ｃ3-4−アルキニル；Ｃ2-4−アルキレン−ＯＣＯ−Ｃ1-3−アルキル；Ｃ2-4−アルキレン−Ｏ（ＣＯ）Ｏ−Ｃ1-3−アルキル；Ｃ1-3−アルキレン−ＣＯＯ−Ｒ5；−Ｃ1-3−アルキレン−ＣＯＯ−Ｃ2-3−アルキレン−Ｎ−フタルイミド；Ｃ1-3−アルキレン−ＣＯＯＣＨ2ＣＯＯＲ5又はＣ1-3−アルキレン−ＣＯＯＣＨ2ＣＯＲ6を意味し、
ここでＲ5は、Ｃ1-4−アルキル；Ｃ1-2−アルコキシエチル；Ｃ3-4−アルケニル；Ｃ3-4−アルキニル；シンナミル；フェノキシエチル；フェニル−Ｃ1-3−アルキル；テトラヒドロフルフリル−２；フェニル又は−ＣＨ3、−ＯＣＨ3、−ＣＯＯＣＨ3又は−ＣＯＯＣ2Ｈ3によって置換されているフェニル、を意味し、
Ｒ6は、Ｃ1-4−アルキル；フェニル、又は−ＣＨ3、−ＯＣＨ3、−ＯＣ2Ｈ5、ハロゲン及び−ＯＨから成るグループのうちの単数又は複数の置換基によって置換されている置換フェニルを意味し、
Ｒ2は、Ｈ；Ｃ1-6−アルキル；ハロゲン、−ＣＮ、−ＯＨ、−ＯＣ1-4−アルキル、−ＯＣＯＣ1-3−アルキル、−ＯＣ6Ｈ5及び−Ｃ6Ｈ5から成るグループのうちの単数又は複数の置換基によって置換されている置換Ｃ2-4−アルキル；Ｃ3-4−アルケニル；−Ｃｌ又は−Ｂｒにより置換されている置換Ｃ3-4−アルケニル；Ｃ3-4−アルキニル；Ｃ2-4−アルキレン−ＯＣＯ−Ｃ1-3−アルキル又はＣ1-3−アルキレン−ＣＯＯ−Ｒ5を意味し、
Ｒ3は、Ｈ；ＣＨ3；−ＮＨＣＯ−Ａ1又はＮＨＣＯＯ−Ａ2を意味し、
この式中Ａ1は、Ｈ；Ｃ1-4−アルキル；Ｃ2-3−アルケニル；フェニル；−ＮＨ2又は−ＯＨ、−Ｃｌ、−ＯＣＨ3、ＯＣ2Ｈ5及び−Ｃ6Ｈ5から成るグループの中の単数又は複数の置換基により置換されている置換Ｃ1-2−アルキルを意味し、
Ａ2は、Ｃ1-4−アルキル又は−Ｃｌ、−ＯＣＨ3及び−ＯＣ2Ｈ5から成るグループのうちの１つの置換基により置換された置換Ｃ2-4−アルキル、を意味し、
Ｒ4は、Ｈ；ハロゲン又はＣ1-4−アルコキシを意味し、
Ｒ8は、Ｈ；Ｃ1-6−アルキル；シクロ−ヘキシル；フェニル；ハロゲン、−ＣＨ3、−ＣＮ、−ＯＨ、−ＯＣ1-4−アルキル、−ＯＣＯＣ1-2−アルキル、−ＣＯＣ1-2−アルキル、−ＣＯＯＨ、−ＳＯ2Ｃ2Ｈ4ＯＨ又は−ＮＯ2から成るグループの中の１つの置換基によって置換された置換フェニルを意味し、
Ｒ9は、Ｃ1-4−アルキル；フェニル又は−ＣＦ3を意味する）
で表される染料。
【請求項２】
下式（II）
【化３】
0004579689.tif 000016
（上式中、全ての置換基は請求項１に記載の意味を有する）
で表されるジアゾ化アミンを下式（III）
Ｈ−Ｋ（III）
で表されるアミン（なお式中、全ての置換基は請求項１に記載の意味を有する）とカップリングすることを特徴とする請求項１に記載の構造式（Ｉ）の染料の製造方法。
【請求項３】
完全合成の又は半合成の疎水性有機材料を含む、繊維又は糸又はそれから生産される材料を染色又は印刷するための、請求項１に記載の構造式（Ｉ）の分散染料又はその混合物の使用。
【請求項４】
インクジェット印刷プロセス又はホットメルトインクジェットプロセスのための、請求項１に記載の構造式（Ｉ）の分散染料又はその混合物の使用。
【請求項５】
請求項１に記載の構造式（Ｉ）の染料又はその混合物を含む組成物。
【請求項６】
印刷用ペースト又は印刷用インク又はインクジェット印刷用又はホットメルトインクジェット印刷用インクである、請求項５に記載の組成物。
【請求項７】
請求項１に記載の構造式（Ｉ）の染料又はその混合物で染色又は印刷された完全合成の又は半合成の疎水性有機材料を含む、繊維又は糸又はそれから生産された材料。
【発明の詳細な説明】
【技術分野】
【０００１】
本発明は、新規の分散染料、その調製及び、再生又は合成された疎水性材料及び／又はそれを含む配合物を染色及び印刷するためのこの分散染料の使用に関する。
【発明の開示】
【０００２】
本発明は、下式(I)
【化１】
0004579689.tif 000002
（上式中、ＸはＨ、；ハロゲン、好ましくはＣｌ又はＢｒ；−ＣＮ；−ＳＯ2ＣＨ3；−ＯＨ；−ＯＣＨ3又は−ＮＯ2を意味し、
Ｙは、Ｈ；ハロゲン、好ましくはＣｌ又はＢｒ；又は−ＣＮを意味し、かつ
Ｋは、６−ヒドロキシピリドン−２、アニリン、α−ナフチルアミン、５−アミノピラゾール、５−ヒドロキシピラゾール、インドール、テトラヒドロキノリン、２−アミノチアゾール、２−アミノチオフェン、３．５−ジメチル置換されていないフェノール（なお３及び５位置における置換基は、第２環の成員ではない）、２−ナフトール、ベンゾモルフォリン又は２．６−ジアミノピリジン系列のカップリング成分ラジカルを意味する）
で表される染料に関する。
【０００３】
構造式Ｉ中、好ましくは、
Ｘは、Ｈ；ハロゲン、好ましくはＣｌ又はＢｒ；−ＣＮ又は−ＮＯ2を意味し、
Ｙは、Ｈ；ハロゲン、好ましくはＣｌ又はＢｒ；又は−ＣＮを意味し、かつ
Ｋは、６−ヒドロキシピリドン−２、アニリン、α−ナフチルアミン、５−アミノピラゾール、５−ヒドロキシピラゾール、インドール、テトラヒドロキノリン、２−アミノチアゾール、２−アミノチオフェン、２−ナフトール、ベンゾモルフォリン又は２．６−ジアミノピリジン系列のカップリング成分ラジカルを意味している。
【０００４】
より好ましいカップリング成分ラジカルＫは、５−ヒドロキシピラゾール、６−ヒドロキシピリドン−２又はアニリン系列のものである。
【０００５】
より好ましいカップリング成分ラジカルＫは、６−ヒドロキシピリドン−２又はアニリン系列のものである。
【０００６】
最も好ましいカップリング成分ラジカルＫは５−ヒドロキシピラゾール系列のものである。
【０００７】
特に好ましいのは、下式（I-A)
【化２】
0004579689.tif 000003
（上式中、Ｘは、Ｈ；ハロゲン、好ましくはＣｌ又はＢｒ；−ＣＮ；−ＯＨ；−ＯＣＨ3又は−ＮＯ2を意味し、
Ｙは、Ｈ；ハロゲン、好ましくはＣｌ又はＢｒ；又は−ＣＮを意味し、かつ
Ｒ1は、Ｃ1-6−アルキル；好ましくは、ハロゲン、−ＣＮ、−ＳＣＮ、−ＯＣ1-4−アルキル、−ＯＣＯＣ1-3−アルキル、−ＯＣＨＯ、−ＯＣ6Ｈ5及び−Ｃ6Ｈ5から成るグループの中の単数又は複数の置換基によって置換された置換Ｃ2-4−アルキル；Ｃ3-4−アルケニル；好ましくは−Ｃｌ又は−Ｂｒによって置換された置換Ｃ3-4−アルケニル；Ｃ3-4−アルキニル、；好ましくはプロパルギル；Ｃ2-4−アルキレン−ＯＣＯ−Ｃ1-3−アルキル；Ｃ2-4−アルキレン−Ｏ（ＣＯ）Ｏ−Ｃ1-3−アルキル；Ｃ1-3−アルキレン−ＣＯＯ−Ｒ5；−Ｃ1-3−アルキレン−ＣＯＯ−Ｃ2-3−アルキレン−Ｎ−フタルイミド；Ｃ1-3−アルレン−ＣＯＯＣＨ2ＣＯＯＲ5又はＣ1-3−アルキレン−ＣＯＯＣＨ2ＣＯＲ6を意味し、
Ｒ5は、Ｃ1-4−アルキル；Ｃ1-2−アルコキシエチル；Ｃ3-4−アルケニル；Ｃ3-4−アルキニル；シンナミル；フェノキシエチル；フェニル−Ｃ1-3−アルキル；テトラヒドロフルフリル−２；フェニル又は−ＣＨ3、−ＯＣＨ3、−ＣＯＯＣＨ3又は−ＣＯＯＣ2Ｈ3によって置換されているフェニル、を意味し、
Ｒ6は、Ｃ1-4−アルキル；フェニル、又は−ＣＨ3、−ＯＣＨ3、−ＯＣ2Ｈ5、ハロゲン及び−ＯＨから成るグループのうちの単数又は複数の置換基によって置換されている置換フェニルを意味し、
Ｒ2は、Ｈ；Ｃ1-6−アルキル；好ましくは、ハロゲン、−ＣＮ、−ＯＨ、−ＯＣ1-4−アルキル、−ＯＣＯＣ1-3−アルキル、−ＯＣ6Ｈ5及び−Ｃ6Ｈ5から成るグループのうちの単数又は複数の置換基によって置換されている置換Ｃ2-4−アルキル；Ｃ3-4−アルケニル；好ましくは−Ｃｌ又は−Ｂｒにより置換されている置換Ｃ3-4−アルケニル；Ｃ3-4−アルキニル、好ましくはプロパルギル；Ｃ2-4−アルキレン−ＯＣＯ−Ｃ1-3−アルキル又はＣ1-3−アルキレン−ＣＯＯ−Ｒ5を意味し、
Ｒ3は、Ｈ；ＣＨ3；−ＮＨＣＯ−Ａ1又はＮＨＣＯＯ−Ａ2を意味し、
Ａ1は、Ｈ；Ｃ1-4−アルキル；Ｃ2-3−アルケニル；フェニル；−ＮＨ2又は、好ましくは−ＯＨ、−Ｃｌ、−ＯＣＨ3、ＯＣ2Ｈ5及び−Ｃ6Ｈ5から成るグループの中の単数又は複数の置換基により置換されている置換Ｃ1-2−アルキルを意味し、
Ａ2は、Ｃ1-4−アルキル又は、好ましくは−Ｃｌ、−ＯＣＨ3及び−ＯＣ2Ｈ5から成るグループのうちの１つの置換基により置換された置換Ｃ2-4−アルキル、を意味し、
Ｒ4は、Ｈ；ハロゲン又はＣ1-4−アルコキシならびにそれらの混合物を意味する）
で表される染料である。
【０００８】
さらに特に好ましいのは、下式（I-B）
【化３】
0004579689.tif 000004
（上式中、  Ｘは、Ｈ；ハロゲン、好ましくはＣｌ又はＢｒ；−ＯＨ；−ＯＣＨ3又はＮＯ2を意味し、
Ｙは、Ｈを意味し、
Ｒ7は、Ｈ；ベンジル；フェニル；Ｃ1-6アルキル；好ましくはハロゲン、−ＣＮ、−ＯＨ、−ＯＣ1-4−アルキル、−ＯＣＯＣ1-2−アルキル、−ＯＣ6Ｈ5又は−Ｃ6Ｈ5から成るグループの中の１つの置換基によって置換された置換Ｃ2-4−アルキル；−Ｃ1-2−アルキレン−ＣＯＯＣ1-2−アルキル；−ＮＨＣ6Ｈ5又は−ＮＨ2、ならびにそれらの混合物を意味する）
で表される染料である。
【０００９】
さらに特に好ましいのは、下式（I-C）
【化４】
0004579689.tif 000005
（上式中、Ｘは、Ｈ；ハロゲン、好ましくはＣｌ又はＢｒ；−ＯＨ；−ＯＣＨ3又はＮＯ2を意味し；
Ｙは、Ｈであり、
Ｒ8は、Ｈ；Ｃ1-6−アルキル；シクロ−ヘキシル；フェニル；好ましくはハロゲン、−ＣＨ3、−ＣＮ、−ＯＨ、−ＯＣ1-4−アルキル、−ＯＣＯＣ1-2−アルキル、−ＣＯＣ1-2−アルキル、−ＣＯＯＨ、−ＳＯ2Ｃ2Ｈ4ＯＨ又は−ＮＯ2から成るグループの中の１つの置換基によって置換された置換フェニルを意味し、
Ｒ9は、Ｃ1-4−アルキル；フェニル又は−ＣＦ3、ならびにそれらの混合物を意味する）
で表される染料である。
【００１０】
存在するあらゆるアルキルは、相対する指示のないかぎり、線状又は有枝である。
【００１１】
単数又は複数の同一の又は異なる置換基により、存在するあらゆる置換アルキルを任意に置換することができる。
【００１２】
ハロゲン原子は好ましくは、塩素又は臭素である。
【００１３】
上述の新規の化合物ならびにその混合物は、非常に有用な分散染料である。
【００１４】
これらの染料の製造は、下式（II）
【化５】
0004579689.tif 000006
を有するジアゾ化アミン（なお式中、全ての置換基は記述中の先行する定義のいずれかに示された意味を有する）を、下式（III）
Ｈ−Ｋ    （III）
（なお式中、全ての置換基は以上の定義づけ通りである）
のアミンとカップリングさせることによって実施される。
【００１５】
化合物（Ｉ）のシアノ誘導体の調製用として、さらなる段階には、Ｘ及び／又はＹが−Ｂｒを意味するものとして構造式（Ｉ）に従った化合物のブロモ誘導体の部分的な又は完全なシアン化が含まれる可能性がある。
【００１６】
ジアゾ化及びカップリングは、一般に知られたプロセスにより実施される。
【００１７】
ジアゾ化は、例えば酸性水性媒質内で亜硝酸ナトリウムを用いて実施される。ジアゾ化は同様に、例えばニトロシル硫酸といったその他のジアゾ化剤を用いてでも実施可能である。例えばリン酸、硫酸、酢酸、プロピオン酸、塩酸又はこれらの酸の混合物、例えばリン酸と酢酸の混合物などの付加的な酸も、ジアゾ化の間反応媒質中に存在し得る。ジアゾ化は、−１０〜１０℃、好ましくは０℃〜５℃の温度範囲内で適切に実施される。
【００１８】
構造式Ｈ−Ｋ（III)のカップリング成分に対する構造式（II）のジアゾ化化合物のカップリングは、例えば酸性、水性又は水性有機媒質の中で、好ましくは０℃〜５０℃、より好ましくは１０℃〜２０℃の温度範囲内で、既知の要領で実施される。使用される酸は例えば、塩酸、酢酸、硫酸又はリン酸である。例えば、ジアゾ化及びカップリングを同じ反応媒質中で実施することができる。
【００１９】
例えば固体形態での又は水溶液としての又はニトロシル硫酸中での亜硝酸ナトリウムといったような亜硝酸アルカリ金属が、ニトロソ化剤として利用される。
【００２０】
求電子性イオンアリール−Ｎ2+を形成するべく低温でのニトロシル硫酸といったような余剰の亜硝酸などとの反応を通したジアゾニウムイオンの調製は、例えば［高等有機化学、Fieser&Fiser, ７３６〜７４０ページ］又は［Organische Chemie, K. Peter C. Vollhardt, １１５４〜１１５７ページ、１，Auflage１９８８］などの文献中で公開されている。
【００２１】
Ｘ及びＹが水素を意味する構造式（II）の化合物は、既知であり［V. F, Pozdnev, Khim Geterosikl. Soedin, １９９０，３．３１２］、構造式（III）の化合物は、当業者にとってなじみ深い要領で容易に生産可能である。
【００２２】
Ｘ及びＹが臭素基を意味する構造式（II）の化合物は、ＤＥ１９６，４３，７６９Ａ１中で例１と類似の要領で合成されている。
【００２３】
Ｘ及び／又はＹがシアノ基を意味する構造式（Ｉ）の染料は、臭素を−ＣＮ基で交換することにより、ＥＰ５５４，６９５Ａ１の例１と類似の要領で調製される。
【００２４】
構造式（Ｉ）の新しい染料ならびにその混合物は、半合成そして好ましくは合成の疎水性繊維材料、特に織物材料を染色及び印刷するために使用することができる。このような半合成疎水性繊維材料を含有する配合織地から成る織物材料も同様に、本発明の染料を用いて染色又は印刷され得る。
【００２５】
適切な半合成織物材料は、主として２1/2酢酸セルロース、３酢酸セルロース、ポリアミド及び高分子量ポリエステルならびにそのセルロースとの混合物である。
【００２６】
合成疎水性織物材料は、主として線状芳香族ポリエステル、例えばテレフタル酸及びグリコールから成るもの、特にエチレングリコール又はテレフタル酸と１，４−ビス（ヒドロキシメチル）シクロヘキサンの縮合物；ポリカーボネート、例えばα、α−ジメチル−４．４´−ジヒドロキシジフェニルメタン及びホスゲン、並びにポリ塩化ビニル及びポリアミドに基づく繊維から成るもので構成されている。
【００２７】
疎水性合成材料は、シート様又は糸様構造の形をしている可能性があり、例えばヤーン又は織地、編地又はループ状織物地に加工できる。新規染料は同様に、マイクロファイバの形をした疎水性合成材料を染色するのにも適している。
【００２８】
使用前に構造式（Ｉ）に従った新規の染料を染料処方に変換する方が都合が良い。これは、０．１〜１０ミクロンの平均粒度まで染料を摩砕することによって行なわれる。摩砕は、分散剤の存在下で実施可能である。標準的には、湿潤染料は分散剤と共に摩砕され、その後真空下で又は噴霧乾燥により乾燥させられる。印刷用ペースト及び染浴液は、こうして得られた処方に水を加えることによって調製可能である。
【００２９】
構造式（Ｉ）に従った新しい染料は、既知の染色又は印刷方法例えばフランス特許出願第１，４４５，３７１号に記述されているもののような方法により織物材料に適用される。
【００３０】
標準的には、ポリエステル繊維材料は、通例のアニオン又は非イオン分散剤の存在下及び通例の膨張剤（担体）の存在下又は不在下で６５℃〜１４０℃の温度範囲内で、排気プロセスより水性分散から染色される。
【００３１】
２1/2酢酸セルロースは好ましくは６５℃〜８５℃の温度で染色され、三酢酸セルロースは、最高１１５℃の温度で染色される。
【００３２】
新規の染料は、サーモゾルプロセスによる染色、排気プロセス、連続プロセス用の染色のためそして近代的画像形成プロセス例えば熱転写印刷、インクジェット印刷、ホットメルトインク印刷用のもの又は重複は従来の印刷プロセスによるものといった印刷のために適している。
【００３３】
サーモゾルプロセス、排気プロセス及び連続プロセスは、周知の染色プロセスであり、例えばM. Peter及びH. K. Rouette: “Grundlagen der Textilverdelung; Handbuch der Technologie, Verfahren und Maschinen”,第１３改定版、１９８９，Deutscher Fachverｌag GmbH, Frankfurt am Main, Germany, ISBN 3-87150-277-4の中で記述されており、中でも次のページが特に興味深い：ｐ４６０−４６１，４８２−４９５，５５６−５６６及び５７４−５８７。
【００３４】
インクジェット印刷プロセスにおいては、インクの個々の液滴は、制御された形でノズルから基材上に噴射される。連続インクジェット方法およびドロップ・オン・デマンド方法が主にこの目的で利用される。連続インクジェット方法の場合、液滴は連続的に生成され、印刷に必要とされない液滴は収集用容器内に方向転換され、再循環される。対照的に、不連続ドロップ・オン・デマンド方法の場合には、液滴は、望まれる通りに生成され印刷される。すなわち、液滴はそれが印刷に必要となったときにのみ生成される。液滴は、例えば圧電インクジェットヘッドを用いて又は熱エネルギー（バブルジェット（登録商標））を用いて生成可能である。
【００３５】
ホットメルトインクジェットプリンタにおいては、インクジェットプリンタヘッド内でインクを融解させ、基材にぶつかった時点で急速に再凝固する液体インクを噴出させる能力をもつプリンタの中に、固体ホットメルトインクが装てんされる。従来のホットメルトインクジェットプリンタは、約１２０〜約１５０℃のプリントヘッド及びインクジェット温度で作動する。これらの温度では、固体インクは、噴出温度で測定された場合に一般に約８〜２５ＣＰの低粘度の液体になるまで融解させられる。
【００３６】
従来の印刷プロセスは周知であり、印刷用インク又は印刷ペーストが基材に転写される方法が異なっている。例えばインク又はペーストは、隆起した活字（例えば活版印刷機、フレキソ印刷機）により平坦な表面（リトグラフィ）から、凹状の表面（凹版印刷）から、又はステンシルを通して（シルクスクリーン）、適用可能である。異なる適用方法及び異なる基材がインク内の異なる特性を必要とする。
【００３７】
染色は、排気プロセスにより水性染液から実施され、染液割当量は、広い範囲、例えば１：４〜１：１００、好ましくは１：６〜１：５０の範囲から選択可能である。
【００３８】
染色時間は、２０〜９０分、好ましくは３０〜６０分である。染液は、付加的には例えば染色助剤、分散剤、湿潤剤及び消泡剤といったようなその他の添加剤を含むことができる。
【００３９】
染液は、鉱酸例えば硫酸又はリン酸を含むこともでき、又は適切には有機酸、例えば蟻酸又は酢酸及び／又は塩、例えば酢酸アンモニウム、硫酸アンモニウム又は硫酸ナトリウムをも含みうる。酸は主として、好ましくは４〜５の範囲内にある染液のｐＨを調整するために役立つ。
【００４０】
分散染料は通常、細かい分散の形で染液中に存在している。この分散の調製のために適した分散剤は、例えばアニオン分散剤、例えば芳香族スルホン酸／ホルムアルデヒド縮合物、スルホン化クレオゾール油／ホルムアルデヒド縮合物、リグニン・スルホネート又はアクリル酸誘導体の共重合体、好ましくは芳香族スルホン酸／ホルムアルデヒド縮合物又はスルホン化リグニン、又は、例えば酸化エチレン又は酸化プロピレンからの重付加反応によって得ることのできる酸化ポリアルキレンに基づく非イオン分散剤である。さらなる適切な分散剤は、ＵＳ４，８９５，９８１号又はＵＳ５，９１０，６２４号中に列挙されている。
【００４１】
適切なインク又はペーストは、ａ）構造式（Ｉ）の少なくとも１つの染料又は構造式（Ｉ）の化合物の混合物、ｂ）水又は、水と有機溶剤、無水有機溶剤又は低融点をもつ固体の混合物を含む媒質、及び任意にはさらなる添加物を含む。
【００４２】
インク又はペーストは好ましくは、その合計重量に基づいて１〜３５wt％、特に２〜３５wt％、好ましくは２〜３０wt％、より好ましくは２．５〜２０wt％の範囲内にある合計量の上述の構造式（Ｉ）の染料を内含している。
【００４３】
インクは、水又は水と有機溶剤、無水有機溶剤又は低融点をもつ固体の混合物を含む上述の媒質ｂ）を９９〜６５wt％、特に９８〜６５wt％、好ましくは９８〜７０wt％、より好ましくは９７．５〜８０wt％内含している。
【００４４】
前記媒質ｂ）が水及び有機溶剤又は無水有機溶剤を含む混合物である場合には、構造式（Ｉ）の染料又はその混合物は、好ましくはこの媒質中に完全に溶解される。
【００４５】
好ましくは、構造式（Ｉ）の染料又はその混合物は、２０℃でこの媒質ｂ）０中２．５wt％以上の溶解度を有する。
【００４６】
本発明のインク組成物が、アセテート、ポリエステル、ポリアミド、ポリアクリルニトリル、ポリ塩化ビニル、又はポリウレタン重合体及びそれらの配合物で作られた疎水性基材又は紙のような基材を印刷するために使用される場合、インクは好ましくは以下の組成物と合わせて使用される。
【００４７】
媒質が水と有機溶剤の混合物である場合、水対有機溶剤の重量比は好ましくは９９：１〜１：９９、さらに好ましくは９９：１〜５０：５０、特に好ましくは９５：５〜８０：２０の範囲内にある。水との混合物中に内含される有機溶剤は、水溶性溶剤又はさまざまな水溶性溶剤の混合物であることが好ましい。好ましい水溶性又は一部水溶性の有機溶剤は、Ｃ1-6−アルコール、好ましくはメタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノール及びシクロヘキサノール；線状アミド、好ましくはジメチルホルムアミド又はジメチルアセタミド；ケトン及びケトアルコール、好ましくはアセトン、メチルエチルケトン、シクロヘキサン及び４−ヒドロキシ−４−メチル−２−ペンタノン；水混和性エーテル、好ましくはテトラヒドロフラン及びジオキサン；ジオール、好ましくは２〜１２個の炭素原子を有するジオール、例えば１，５−ペンタンジオール、エチレングリコール、プロピレングリコ−ル、ブチレングリコール、ペンチレングリコール、ヘキシレングリコール、チオグリコール、及びオリゴ及びポリ−アルキレングリコール、好ましくはジエチレングリコール、トリエチレングリコール、ポリエチレングリコール及びポリプロピレングリコール；トリオール、好ましくはグリセロール及び１，２，６−ヘキサントリオール；ジオールのモノ−Ｃ1-4−アルキルエーテル、好ましくは２〜１２個の炭素原子を有するジオールのモノ−Ｃ1-4−アルキルエーテル、特に好ましいのは２−メトキシエタノール、２−（２−メトキシエトキシ）エタノール、２−（２−エトキシエトキシ）エタノール、２−［２−（２−メトキシエトキシ）エトキシ］エタノール、２−［２−（２−エトキシエトキシ）エトキシ］エタノール及びエチレングリコールモノアリルエーテル；環式アミド、好ましくは２−ピロリドン、Ｎ−メチル−２−ピロリドン、Ｎ−エチル−２−ピロリドン、カプロラクタム及び１，３−ジメチルイミダゾリドン；環式エステル、好ましくはカプロラクトン；スルホキシド、好ましくはジメチルスルホキシド及びスルホラン、である。
【００４８】
好ましい組成物の中では、ｂ）にあるような媒質は水及び２つ以上、より好ましくは２〜８の水溶性有機溶剤を内含する。
【００４９】
特に好ましい水溶性溶剤は、環式アミド、特に２−ピロリドン、Ｎ−メチルピロリドン及びＮ−エチルピロリドン；ジオール、好ましくは１，５−ペンタンジオール、エチレングリコール、チオジグリコール、ジエチレングリコ−ル、及びトリエチレングリコール；及びジオールのモノ−Ｃ1-4−アルキル及びジ−Ｃ1-4−アルキルエーテル、より好ましくは２〜１２個の炭素原子を有するジオールのモノ−Ｃ1-4−アルキルエーテル、特に好ましいのは２−［２−（２−メトキシエトキシ）エトキシ］エタノールである。
【００５０】
ｂ）にあるような好ましい媒質には、
（ｉ）７５〜９５重量部分の水及び
（ｉｉ）２５〜５部分の以下の溶剤のうちの単数又は複数のもの：ジエチレングリコール、２−ピロリドン、チオジグリコール、Ｎ−メチルピロリドン、シクロヘキサノール、カプロラクトン、カプロラクタム及び１，５−ペンタンジオールが含まれ、ここで、部分表示は重量部分であり、（ｉ）と（ｉｉ）の全ての部分が加算されて１００となる。
【００５１】
水及び単数又は複数の有機溶剤を内含するさらなる有用なインク組成物の例は、特許明細書ＵＳ４９６３１８９号、ＵＳ４７０３１１３号、ＵＳ４６２６２８４号及びＥＰ４２５１５０Ａ号の中に見い出される。
【００５２】
ｂ）のとおりの媒質が無水（すなわち水が１wt％未満）の有機溶剤を内含する場合この溶剤は３０〜２００℃の沸点、より好ましくは４０〜１５０℃、特に好ましくは５０〜１２５℃の沸点を有することになる。
【００５３】
有機溶剤は、不水溶性、水溶性又はかかる溶剤の混合物であり得る。好ましい水溶性有機溶剤は、全て上述の水溶性有機溶剤及びそれらの混合物である。
【００５４】
好ましい不水溶性溶剤には、なかんづく、脂肪族炭化水素；エステル、好ましくは酢酸エチル；塩素化炭化水素、好ましくはＣＨ2Ｃｌ2；及びエーテル、好ましくはジエチルエーテル；及びそれらの混合物が含まれる。
【００５５】
ｂ）のとおりの液体媒質が不水溶性溶剤を内含する場合、液体媒質内の染料の溶解度を増大させるために極性溶剤を添加することが好ましい。
【００５６】
かかる極性溶剤の例としては、Ｃ1-4−アルコール、好ましくはエタノール又はプロパノール；ケトン、好ましくはメチルエチルケトンがある。
【００５７】
無水有機溶剤は、単一の溶剤又は２つ以上の異なる溶剤の混合物から成り得る。
【００５８】
それが、異なる溶剤の混合物である場合には、２〜５個の異なる無水溶剤を含む混合物が好ましい。こうして、貯蔵中のインク組成物の安定性及び乾燥特性をうまく制御できるようにするｂ）のとおりの媒質を提供することが可能となる。
【００５９】
速い乾燥時間が要求される場合そして特にそれらがプラスチック、金属及びガラスといったような疎水性及び非吸収性基材上の印刷のために使用される場合、無水有機溶剤又はその混合物を内含するインク組成物が特に有利である。
【００６０】
好ましい低融点媒質は、６０〜１４０℃の融点を有する。有用な低融点固体としては、長鎖脂肪酸又はアルコール、好ましくはＣ18-24−炭素鎖を有するもの及びスルホンアミドが含まれる。従来の低融点インクビヒクルは一般に、さまざまな割合のワックス、樹脂、可塑化剤、粘着付与剤、粘度調整剤及び酸化防止剤を内含する。
【００６１】
本発明のインク組成物及び印刷ペーストはさらに、インクジェットインク又は印刷用ペースト内で通常用いられる付加的な成分、例えば緩衝液、粘度向上剤、表面張力向上剤、定着加速剤、biozides、腐食抑制剤、均染剤、乾燥剤、保湿剤、インク浸透添加剤、光安定剤、ＵＶ吸収剤、螢光増白剤、凝固減力剤、イオン又は非イオン界面活性剤及び導電性塩を助剤として内含していてよい。
【００６２】
これらの助剤は好ましくは、インクに対し０〜５wt％の量で添加される。印刷用ペーストに対しては、印刷用ペーストの全重量に基づいて、最高７０wt％、特に最高６０wt％、好ましくは最高５５wt％の量で添加される。
【００６３】
本発明のインク組成物内での沈降を防ぐためには、使用される染料は、汚染なく精製されなくてはならない。これは、一般に知られた精製方法で行なうことができる。
【００６４】
本発明の組成物が織物繊維材料を印刷するのに使用される場合には、以下の組成物の使用が好まれる。
【００６５】
織物繊維材料を印刷する場合には、水を含めた溶剤以外の有用な添加剤は、合成増粘剤天然増粘剤又は水溶性非イオンセルロースエーテル、アルギン酸塩又はビーンガムエーテルを含みうる変性天然増粘剤である。水溶性非イオンセルロースエーテル、アルギン酸塩及びビーンガムエーテルは全て、インクを或る一定の粘度に調整するための増粘剤として使用される。
【００６６】
有用な水溶性非イオンセルロースエーテルには、例えば、メチル−、エチル−、ヒドロキシエチル−、メチルヒドロキシエチル−、ヒドロキシプロピル−又はヒドロキシプロピルメチル−セルロースが含まれる。メチルセルロース又は特にヒドロキシエチルセルロースが好まれる。セルロースエーテルは、通例、インク中、インク全重量に基づいて０．０１〜２wt％、特に０．０１〜１wt％、好ましくは０．０１〜０．５wt％の量で使用される。
【００６７】
有用なアルギン酸塩には特にアルギン酸アルカリ金属、好ましくはアルギン酸ナトリウムが含まれる。これらは、通例、インク中、インク金属重量に基づいて０．０１〜２wt％、特に０．０１〜１wt％、好ましくは０．０１〜０．５wt％の量で使用される。
【００６８】
印刷用ペーストは、最高７０wt％の増粘剤、好ましくは最高５５wt％の増粘剤を内含する。印刷用ペースト中、増粘剤は、その金属量に基づいて、３〜７０wt％、特に５〜６０wt％、好ましくは７〜５５wt％の量で使用される。
【００６９】
インクジェット印刷プロセスは、１〜４０ｍＰａ．ｓ、特に５〜４０ｍＰａ．ｓ、好ましくは１０〜４０ｍＰａ．ｓ、の粘度を有するインク組成物が好まれる。１０〜３５ｍＰａ．ｓ、の粘度をもつインク組成物が特に好ましい。
【００７０】
１５〜７３ｍＮ／ｍ、特に２０〜６５ｍＮ／ｍ、特に好ましくは３０〜５０ｍＮ／ｍの表面張力をもつインク組成物が好まれる。
【００７１】
０．１〜１００ｍＳ／ｃｍ、特に０．５〜７０ｍＳ／ｃｍ、特に好ましくは１．０〜６０ｍＳ／ｃｍの導電率をもつインク組成物が好ましい。
【００７２】
インクはさらに、例えば酢酸塩、リン酸塩、ホウ砂、ホウ酸塩又はクエン酸といった緩衝剤物質を内含し得る。例としては、酢酸ナトリウム、リン酸水素ニナトリウム、ホウ酸ナトリウム、四ホウ酸ナトリウム及びクエン酸ナトリウムがある。
【００７３】
かくして得られた染色又は印刷は、優れた包括的堅牢度を有する。特に注目に値するのは、熱移染堅牢度、熱定着及びひだ堅牢度ならびにすぐれた湿潤堅牢度である。
【００７４】
本発明の染料は、例えばプラスチック、樹脂、ワニス、塗料、電子写真トナー及び現像剤、エレクトレット材料、カラーフィルターと同様、印刷用インクといったようなインク及び種子といったような天然又は合成の高分子有機材料を着色するために有用である。
【００７５】
本発明の染料を用いて着色可能な高分子有機材料としては例えば、セルロースエーテル及びエステル、例えばエチルセルロース、ニトロセルロース、酢酸セルロース又は酪酸セルロースなど、天然結合剤、例えば脂肪酸、脂肪油など、樹脂及びそれらの転換生成物又は合成樹脂、例えば重縮合物、ポリアダクツ、付加重合体及び共重合体、例えばアミノ樹脂、特に尿素−及びメラミン−ホルムアルデヒド樹脂、アルキド樹脂、アクリル樹脂、フェノプラスト及びフェノール樹脂、例えばノボラック又はレゾール、尿素樹脂、ポリビニル、例えばポリビニルアルコール、ポリビニルアセタール、酢酸ポリビニル又はポリビニルエーテル、ポリカーボネート、ポリオレフェイン例えばポリスチレン、ポリ塩化ビニル、ポリエチレン又はポリプロピレンなど、ポリ（メタ）クリレート及びそれらの共重合体、例えばポリアクリルエステル又はポリアクリロニトリル、ポリアミド、ポリエステル、ポリウレタン、クマリン−インデン及び炭化水素樹脂、エポキシ樹脂、異なる硬化メカニズムを有する不飽和合成樹脂（ポリエステル、アクリレート）、ワックス、アルデヒド及びケトン樹脂、ガム、ゴム及びその誘導体及びラテックス、カゼイン、シリコーン及びシリコーン樹脂が、個別に又は混合物として含まれる。
【００７６】
上述の高分子有機化合物が、可塑的に変形可能な組成物、溶融体として又はドープ、分散、ワニス、塗料又は印刷用インクの形のいずれで存在するかは、ここでは重要ではない。意図された利用分野に応じて本発明の染料を配合物としてか又は調製物又は分散の形で使用することが有利となる。着色されるべき高分子有機材料に基づいて、本発明の染料は、０．０５〜３０wt％、好ましくは０．１〜１５wt％の量で使用される。
【００７７】
本発明の摩砕かつ／又は仕上げされた顔料組成物の代りに、いくつかのケースにおいては、２ｍ2／ｇを超える及び好ましくは５ｍ2／ｇを超えるＢＥＴ表面積を有する対応する粗原料を使用することも可能である。この粗原料は、５wt％〜９９wt％の濃度で、単独で又は任意にはその他の粗原料又は既製の顔料と混合された状態で、カラー濃縮物を製造するために使用することができる。
【００７８】
本発明の染料は同様に、例えば一成分又は二成分粉末トナー（一成分又は二成分現像剤としても知られている）、磁気トナー、液体トナー、付加重合トナーさらには特製トナーといったような、電子写真トナー及び現像剤の中の着色剤としても有用である。
【００７９】
標準的なトナー結合剤は、個別の又は組合せた形でのスチレン、スチレン−アクリレート、スチレン−ブタジエン、アクリレート、ポリエステル、フェノール−エポキシ樹脂、ポリスルフォン、ポリウレタンといったような付加重合、重付加及び重縮合樹脂、さらには、荷電制御剤、ワックス又は流動性補助物質といったような成分を各々さらに含み得る、又はこれらの添加剤で実質的に変性されるポリエチレン及びポリプロピレンである。
【００８０】
本発明の染料はさらに、粉末及び粉末コーティング、特に例えば金属、木材、プラスチック、ガラス、セラミクス、コンクリート、織物材料、紙又はゴムから成る物体の表面コーティングのために用いられた摩擦電気又は動電学的に噴霧可能な粉末コーティングの中の着色剤としても有用である。
【００８１】
使用される粉末コーティング樹脂は、標準的には、通例の硬化剤を伴う、エポキシ樹脂、カルボキシル及びヒドロキシル含有ポリエステル樹脂、ポリウレタン及びアクリル樹脂である。樹脂の組合せも同様に使用される。例えば、エポキシ樹脂は、カルボキシル及びヒドロキシル含有ポリエステル樹脂と組合せた形で頻繁に使用される。（樹脂系によって左右される）標準的な硬化剤成分としては例えば、無水酸、イミダゾール及び同じくジシアンジアミド及びその誘導体、ブロックイソシアネート、ビスアシルウレタン、フェノール及びメラミン樹脂、トリグリシジルイソアニュレート、オキサゾリン及びジカルボン酸が含まれる。
【００８２】
本発明は、同様に、構造式（Ｉ）の少なくとも１つの染料化合物又はその混合物を含む光学層にも向けられている。本発明はさらに、以下の段階を含む光学層を生産する方法に関する。
（ａ）基材を提供する段階；
（ｂ）溶液を形成するべく有機溶剤中に構造式（Ｉ）の１つの染料化合物又は構造式（Ｉ）の複数の化合物の混合物又はそれらの混合物を溶解させる段階；
（ｃ）基材（ａ）上に溶液（ｂ）をコーティングする段階；
（ｄ）染料層を形成するべく溶剤を蒸発させる段階。
【００８３】
基材（ａ）上に溶液（ｂ）をコーティングするためには、異なる方法を利用することができる。光学層の薄く均質なフィルムを提供するために、材料は通常、スピンコーティング、真空蒸着、ジェットコーティング、ロールコーティング又は浸漬によって被着させられる。
【００８４】
有機溶剤は、Ｃ1-8アルコール、ハロゲン置換Ｃ1-8アルコール、Ｃ1-8ケトン、Ｃ1-8エーテル、ハロゲン置換Ｃ1-4アルカン、又はアミドの中から選択される。好ましいアルコールＣ1-8アルコール又はハロゲン置換Ｃ1-8アルコールは、メタノール、エタノール、イソプロパノール、ジアセトンアルコール（ＤＡＡ）、２，２，３，３−テトラフルオロプロパノール、トリクロロエタノール、２−クロロエタノール、オクタフルオロペンタノール又はヘキサフルオロブタノールの中から選択される。好ましいＣ1-8ケトンは、アセトン、メチルイソブチルケトン、メチルエチルケトン又は３−ヒドロキシ−３−メチル−２−ブタノンの中から選択される。好ましいハロゲン置換Ｃ1-4アルカンは、クロロホルム、ジクロロメタン又は１−クロロブタンの中から選択される。又好ましいアミドは、ジメチルホルムアミド又はジメチルアセトアミドの中から選択される。
【００８５】
光学層の好ましい実施形態においては、この光学層は、光学データ記録媒体の一部を成す光学データ記録層である。
【００８６】
光学データ記録媒体の構築は、当該技術分野において既知である。光学データ記録媒体は一般に基材及び記録層、光学層を含んで成る。通常、基材として有機重合体材料のディスク又はウェーバが用いられる。かくして、本発明に従った好ましい基材は、ポリカーボネート（ＰＣ）又はポリメチルメタクリレート（ＰＭＭＡ）である。基材は、高い光学品質の均等かつ均質な表面を提供しなければならない。光学層はその上に、高い光学品質及び規定の厚みの薄く均等なフィルムの形で被着される。最後に、光学層の上には、反射層例えばアルミニウム、金又は銅が被着される。
【００８７】
高度な光学データ記録媒体は、保護層、接着層又は付加的な光学層といったようなさらなる層を含み得る。
【００８８】
光学データ記録層としての利用分野のためには、スピンコーティングプロセスが、基材（ａ）上に溶液（ｂ）をコーティングするための好ましい方法である。
【００８９】
本発明は、光学データ記録、好ましくは最高５００ｎｍの波長をもつレーザーを用いた光学データ記録のための光学層中での構造式（Ｉ）の使用に関する。
【００９０】
本発明はさらに、光学層中で構造式（Ｉ）に従った化合物を利用する、青色レーザーの放射を用いて情報を記録・再生する能力をもつ追記型（ＷＯＲＭ）光学データ記録媒体に関する。
【００９１】
以下の例においては、部分及び百分率は重量に基づいている。温度は摂氏度で示されている。
【実施例】
【００９２】
実施例１
ジアゾ化：
１７．５部分の７−アミノ−４−メチルクマリンを１００部分の水及び３６．５部分の３０％ＨＣｌ中に溶解させ、７５部分の氷を添加し、その後１時間、０〜５℃の温度で水溶液（４０％）としての６．９部分の亜硝酸ナトリウムを添加する。溶液を０〜５℃で２時間攪拌し、０．１部分のアミノスルホン酸を余剰の亜硝酸ナトリウムを破壊するために添加する。
【００９３】
カップリング：
１５〜２５℃の温度で４００部分の水中の２０．６部分の１−Ｎ−ブチル−３−シアノ−６−ヒドロキシ−４−メチル−ピリドン−２の溶液に対し連続的に、先に調製したジアゾニウム塩溶液を添加する。懸濁液を２５℃で１時間攪拌し、３０％の水酸化ナトリウム溶液１０部分を添加することにより、ｐＨを４に調整する。懸濁液を１時間再度攪拌し、沈降させた染料をろ過により除去し、水で洗浄し。６０℃で真空下で乾燥させる。
【００９４】
【化６】
0004579689.tif 000007
という構造式（ＩＶ）の単離した染料は、（ＤＭＦ中で）４４９ｎｍのλｍａｘを有し、優れた堅牢度特性で黄色の陰影でポリエステルを染色する。
【００９５】
実施例２
ジアゾ化：
ジアゾ化は、実施例１と類似の要領で行なわれる。
【００９６】
１５〜２５℃の温度で４００部分の水中の１０．３部分の１−Ｎ−ブチル−３−シアノ−６−ヒドロキシ−４−メチル−ピリドン−２及び９．６部分の−Ｎ−プロピル−３−シアノ−６−ヒドロキシ−４−メチル−ピリドン−２の溶液に対し連続的に、先に調製したジアゾニウム塩溶液を添加する。懸濁液を２５℃で１時間攪拌し、３０％の水酸化ナトリウム溶液１０部分を添加することにより、ｐＨを４に調整する。懸濁液を１時間再度攪拌し、沈降させた染料をろ過により除去し、水で洗浄し。６０℃で真空下で乾燥させる。
【００９７】
【化７】
0004579689.tif 000008
という構造式（Ｖ−Ａ）及び（Ｖ−Ｂ）の単離した染料は、（ＤＭＦ中で）４４９ｎｍのλｍａｘを有し、優れた堅牢度特性で黄色の陰影でポリエステルを染色する。
【００９８】
下表１、２、及び３は、先行例で示された手順に類似した要領で生産される構造式（Ｉ−Ａ）、（Ｉ−Ｂ）及び（Ｉ−Ｃ）のさらなる染料を示している。
【００９９】
全ての染料は、非常に優れた包括的堅牢度、特に昇華及び光に対する堅牢度及び湿潤堅牢度でポリエステル繊維材料を染色する。
【０１００】
【表１】
0004579689.tif 000009
【０１０１】
【表２】
0004579689.tif 000010
【０１０２】
【表３】
0004579689.tif 000011
【０１０３】
実施例４２
ジアゾ化
１５℃の温度で１００部分の酢酸中に１７．５部分の７−アミノ−４−メチルクマリンを溶解させ、１７．４部分の４０％ニトロシル硝酸を１５分以内に添加する。溶液を１５℃で２時間攪拌する。
【０１０４】
カップリング：
１５〜２５℃の温度で、０．５部分のアミノスルホン酸を含有する５０部分の水及び１００部分のＮ−メチル−ピロリドン中の１７．４部分の３−メチル−１−フェニル−５−ピラゾロンの溶液に対して連続的に、先に調製したジアゾニウム塩溶液を添加する。懸濁液を２５℃で１時間攪拌する。次に１００部分の氷を添加する。懸濁液を２５℃で１時間攪拌し、３０％の水酸化ナトリウム溶液１０部分を添加することによりｐＨを４に調整する。懸濁液を３０分間攪拌し、染料懸濁液をろ過により除去し、水で洗浄し、６０℃で真空下で乾燥させる。
【０１０５】
【化８】
0004579689.tif 000012
という構造式（ＶＩ）の単離した染料は、（ＤＭＦ中で）４１１ｎｍのλｍａｘを有し、優れた堅牢度特性で黄色の陰影でポリエステルを染色する。
【０１０６】
【表４】
0004579689.tif 000013
【０１０７】
適用例Ａ
湿ったプレスケーキの形をした実施例１に従った染料１７．５部分を、リグニン・スルホネートベースの市販の分散剤３２．５部分と共に既知の方法により湿式摩砕し、粉末になるまで微粉化する。１．２部分のこの染料調製物を、４０部分の硫酸アンモニウムを含有する２０００部分の７０℃の脱塩水に添加する。染浴のｐＨ値は８５％の蟻酸で５に設定される。１００部分の洗浄したポリエステル繊維織地をこの染浴中に設置し、コンテナを閉じ、２０分間にわたり１３０℃まで加熱し、この温度でさらに６０分間染色が続く。冷却後、ポリエステル繊維織地を染浴から除去し、洗い流し、石けんで洗い、通常の要領でヒドロ亜硫酸ナトリウムでの還元により清浄する。熱定着（１８０℃、３０秒）の後、ひじょうに優れた包括的堅牢度、特に光及び昇華に対する堅牢度、特に優れた湿潤堅牢度をもつ、黄色染色が得られる。例２〜６５の染料を、類似の要領で使用でき、非常に優れた包括的堅牢度の染色が得られる。
【０１０８】
ポリエステル系の染色は、例２〜６５と類似の要領で実施できる。
【０１０９】
適用例Ｂ
実施例１で得た染料２．５部分を、２０部分のジエチレングリコールと７７．５部分の水の混合物中に、２５℃で攪拌しながら溶解させて、インクジェット印刷に適した印刷用インクを得る。
【０１１０】
例２〜６５の染料又は例１〜６５の染料混合物は同様に、適用例Ｂで記述されたものと類似の要領で使用可能である。
【０１１１】
適用例Ｃ
発明に従った印刷用ペーストは、以下のものから成る：
増粘剤（ビーンガムエーテル例えばIndalcaTM）５００ｇ、
定着加速剤（例えばPrintogen HDNTM）１０ｇ、
均染剤（例えばSandogen CNTM）１０ｇ、
染色用緩衝剤及び分散剤系（例えばSandacid PBTM；１：２）１０ｇ、及び
例１の染料１０ｇ、
及び１０００ｇになるまでの付加用水。
（Indalcaは、イタリヤのCesalpinia S.p.Aから購入した；Sandogen, Printogen及びSandacidは、Clariant AG, Muttenz／スイスの登録商標である）。
【０１１２】
この印刷用ペーストは、紙様基材、織地繊維材料及びプラスチックフィルム及びプラスチック透明シートのために使用される。
【０１１３】
例２〜６５の染料又は例１〜６５の染料混合物は同様に、適用例Ｃで記述されたものと類似の要領で使用可能である。
【０１１４】
適用例Ｄ
適用例Ｃの印刷用ペーストを用いて従来の印刷機でポリエステルInterlock織地に印刷した。結果として得た印刷済み織地を１１０℃で３分間乾燥させ、１７５℃で７分間高温蒸気で処理した。織地を５分間、冷たい水道水で洗い流し、次に脱塩水で５分間洗い流した。このように処理した織地を、４ｇ／ｌのＮａ2ＣＯ3、２ｇ／ｌのヒドロ亜硫酸ナトリウム塩（８５％）及び１ｇ／ｌのLyogen DFTTM（Clariant AB, Muttenz, スイスの登録商標）を含む浴中で還元的に清浄した。水道水で１５分間さらに洗い流した後、最終的に乾燥させた。これにより、ひじょうに優れた包括的堅牢度、特に光及び昇華に対する堅牢度及び湿潤堅牢度をもつ黄色印刷を伴うポリエステル織地が残る。
【０１１５】
例２〜６５の染料又は例１〜６５の染料混合物は同様に、適用例Ｄで記述されたものと類似の要領で使用可能である。
【０１１６】
適用例Ｅ
インクジェット印刷用組成物は、好ましくは媒質を４０℃まで加熱し、次に例１の染料を添加することによって調製される。混合物を、染料が溶解するまで攪拌する。その後、組成物を室温まで冷却し、さらなる成分を添加する。
【０１１７】
インク組成物の個々の成分の分量。
例１の染料  ６部分
グリセロール  ２０部分
水  ７４部分
【０１１８】
このインク組成物は、紙様基材、織地繊維材料及びプラスチックフィルム及びプラスチック透明シートのために使用される。
【０１１９】
例２〜６５の染料又は例１〜６５の染料混合物は同様に、応用例Ｅで記述されたものと類似の要領で使用可能である。
【０１２０】
適用例Ｆ
適用例Ｅに印刷用インクを用いてポリエステルInterlock織地をインクジェット印刷した。印刷した織地を適用例Ｄの印刷後処理と類似の要領で処理した。これによりひじょうに優れた包括的堅牢度、特に光及び昇華に対する堅牢度、特にすばらしい湿潤堅牢度をもつ黄色印刷を伴うポリエステル織地が残る。
【０１２１】
例２〜６５の染料又は例１〜６５の染料混合物は同様に、適用例Ｆで記述されたものと類似の要領で使用可能である。